(57)【要約】【課題】携帯端末を使用して経路検索において出発地及び目的地の入力操作を簡単化することを目的とする。【解決手段】携帯端末は、現在位置を検出するための現在位置検出部と、二次元コードを読み取るための二次元コード読み取り部と、該二次元コード読み取り部によって読み取った二次元コードに含まれる情報を利用して目的地の位置情報を検出するため目的地の位置情報検出部と、を有し、上記現在位置検出部によって得られた現在位置から上記目的地の位置情報検出部によって得られた目的地の位置までの経路を検索する【選択図】  図１
2004233147.tif 000002
【特許請求の範囲】
【請求項１】
現在位置を検出するための現在位置検出部と、二次元コードを読み取るための二次元コード読み取り部と、該二次元コード読み取り部によって読み取った二次元コードに含まれる情報を利用して目的地の位置情報を検出するため目的地の位置情報検出部と、を有し、上記現在位置検出部によって得られた現在位置から上記目的地の位置情報検出部によって得られた目的地の位置までの経路を検索するように構成されていることを特徴とする携帯端末。
【請求項２】
請求項１記載の携帯端末において、上記目的地の位置情報検出部は二次元コードに含まれる情報に目的地の位置情報が含まれている場合には該情報より目的地の位置情報を抽出し、二次元コードに含まれる情報に目的地の位置情報が含まれていない場合には情報提供者が提供する通信情報より目的地の位置情報を抽出することを特徴とする携帯端末。
【請求項３】
請求項１記載の携帯端末において、更に、上記現在位置検出部によって得られた現在位置と上記目的地の位置情報検出部によって得られた目的地の位置情報に基づいて現在位置から目的地までの経路を検索する経路検索部を有することを特徴とする携帯端末。
【請求項４】
請求項１記載の携帯端末において、外部の経路検索手段を利用して上記現在位置検出部によって得られた現在位置と上記目的地の位置情報検出部によって得られた目的地の位置情報に基づいて現在位置から目的地までの経路を検索することを特徴とする携帯端末。
【請求項５】
請求項１記載の携帯端末において、更に、上記現在位置検出部によって得られた現在位置と上記目的地の位置情報検出部によって得られた目的地の位置情報を二次元コード化するための二次元コード生成部を有することを特徴とする携帯端末。
【請求項６】
携帯端末の現在位置検出機能によって現在位置を検出する現在位置検出ステップと、携帯端末の二次元コード読み取り機能によって二次元コードを読み取る二次元コード読み取りステップと、読み取った二次元コードに含まれる情報を利用して目的地の位置情報を検出する目的地の位置情報検出ステップと、現在位置から目的地の位置までの経路を検索する経路検索ステップと、を含む携帯端末を使用した経路検索方法。
【請求項７】
請求項６記載の携帯端末を使用した経路検索方法において、上記経路検索ステップは、現在位置と目的地の位置情報を表す二次元コードを生成する二次元コード生成ステップと、該二次元コードを表示する表示ステップと、該表示された二次元コードを他の携帯端末によって読み取る読み取りステップと、該他の携帯端末によって現在位置から目的地の位置までの経路を検索する他の携帯端末による経路検索ステップと、を含むことを特徴とする携帯端末を使用した経路検索方法。
【発明の詳細な説明】
【０００１】
【発明の属する技術分野】
本発明は出発地から目的地までの経路を探索するための経路検索技術に関し、特に、携帯端末を利用した経路検索技術に関する。
【０００２】
【従来の技術】
出発地から目的地までの経路を探索するためのシステムが知られている。このようなシステムを利用する場合、ユーザが出発地と目的地を入力すると出発地から目的地までの経路が出力される。出発地を入力する代わりに、ＧＰＳ等の位置検出装置を利用して自己の現在位置を検出し、現在位置から目的地までの経路を探索するシステムも広く利用されている。
ユーザが出発地と目的地を入力する操作を簡単化するためにバーコード又は二次元コードを使用することが提案されている。
【０００３】
特開平５−１１６９９号公報には、目的地の地図上の座標位置を表すバーコードをバーコード読み取り装置によって読み取ることによって、目的地の入力を行うことが記載されている。
【０００４】
特開２００１−３３２６５号公報には、施設の宣伝広告等にその施設の位置情報、営業時間、定休日等を表す二次元コードを印刷し、二次元コード読み取り装置によってそれらの情報を読み取ることが記載されている。
【０００５】
【特許文献１】
特開平５−１１６９９号公報
【特許文献２】
特開２００１−３３２６５号公報
【０００６】
【発明が解決しようとする課題】
上述のように従来の技術では、現在位置を位置検出装置によって検出したり、目的地を二次元コード読み取り装置によって読み取り、入力操作を簡易化することができる。
【０００７】
しかしながら、出発地の入力と目的地の入力の少なくとも一方の操作を手動により行う必要があった。即ち、出発地の入力操作と目的地の入力操作の両者を簡易化することはできない。
本発明の目的は、出発地から目的地までの経路を探索するための経路検索システムにおいて出発地の入力と目的地の入力の操作を簡略化することにある。
【０００８】
【課題を解決するための手段】
本発明の携帯端末は、現在位置を検出するための現在位置検出部と、二次元コードを読み取るための二次元コード読み取り部と、該二次元コード読み取り部によって読み取った二次元コードに含まれる情報を利用して目的地の位置情報を検出するため目的地の位置情報検出部と、を有し、上記現在位置検出部によって得られた現在位置から上記目的地の位置情報検出部によって得られた目的地の位置までの経路を検索する。
携帯端末が経路検索手段を有する場合には、それにより経路検索を行い、携帯端末が経路検索手段を有さない場合には外部の経路検索手段を用いる。
【０００９】
本発明の携帯端末は、更に、上記現在位置検出部によって得られた現在位置と目的地の位置情報を二次元コード化するための二次元コード生成部を有する。二次元コード生成部によって生成された二次元コードを表示部によって表示し、それを外部の経路検索手段によって読み取らせることによって、経路検索を行うことができる。
【００１０】
【発明の実施の形態】
図１を参照して本発明による携帯端末の第１の例を説明する。本例の携帯端末は、二次元コードを読み取るための二次元コード読み取り部１１と、二次元コード読み取り部１１によって読み取った二次元コードを認識し、二次元コードに含まれる情報を解読するための二次元コード認識・解読部１２と、二次元コード認識・解読部１２によって解読した情報に必要な情報が含まれるか否かを検出するための情報検出部１３と、情報検出部１３による検出結果に基づいて目的地の位置情報を検出するための目的地の位置情報検出部１４と、携帯端末の現在位置を検出するための現在位置検出部２１と、現在位置から目的地までの経路を検索するための経路検索部１５と、現在位置、目的地の位置情報、検索結果等を表示するための表示部１６と、を有する。尚、本例の携帯端末は、情報通信網に接続するためのインターフェース及び通信機能を有するが、その説明は省略する。
【００１１】
二次元コード読み取り部１１は、ＣＣＤ（Ｃｈａｒｇｅ  Ｃｏｕｐｌｅｄ    Ｄｅｖｉｃｅ）カメラであってよい。勿論、ＣＣＤカメラの代わりに、二次元コードを読み取るための専用の二次元コードリーダを使用してもよい。
【００１２】
情報検出部１３は、解読された二次元コードに含まれる情報より、二次元コードの作成者との共通のルールに従って所定の情報を検出する。即ち、目的地の位置及び情報提供者への通信接続情報が含まれるか否かを検出する。詳細は後に説明する。
【００１３】
経路検索部１５は、現在位置から目的地までの経路を検索する。経路検索に使用する地図情報は、携帯端末が有する記憶装置に記憶されたものであってよいが、外部から入手したものであってもよい。
【００１４】
情報検出部１３、目的地の位置情報検出部１４及び経路検索部１５の機能は、適当なソフトウエアによって実現されてよい。
現在位置検出部２１は、ＧＰＳ（Ｇｌｏｂａｌ  Ｐｏｓｉｔｉｏｎｉｎｇ    Ｓｙｓｔｅｍ）を利用して携帯端末の現在位置を検出するものであってよい。
【００１５】
図２を参照して本発明による携帯端末の第２の例を説明する。本例の携帯端末は、図１の携帯端末の第１の例と比較して、経路検索部１５が設けられていないことと二次元コードを生成するための二次元コード生成部２２が設られている点が異なり、それ以外は、図１の第１の例と同様であり、同様な構成部の詳細な説明は省略する。二次元コード生成部２２は、現在位置検出部２１から得られた現在位置を表す二次元コードを生成する。二次元コード生成部２２の機能は後に説明する。
【００１６】
図３を参照して本発明による携帯端末の動作を説明する。ここでは、ユーザが携帯端末を使用して、現在位置から目的地であるレストランへの経路を検索する場合を説明する。先ずステップＳ１０１にて、ユーザは、携帯端末の二次元コード読み取り部１１を使用して、目的地であるレストランに関する情報を表す二次元コードを読み取る。二次元コードは、新聞、雑誌、パンフレット等の書籍、又は、車内又は屋外のポスターに広告として表示されたものであってよい。広告の情報を提供した者を、ここでは情報提供者と称することとする。本例では、レストランが情報提供者である。
【００１７】
図４を参照して、二次元コードに含まれる情報の例を説明する。二次元コードは、少なくとも、目的地の名称及び位置情報又は目的地の名称及び情報提供者への通信接続情報を含む。図４Ａは目的地の名称と位置情報を含む場合を示し、位置情報はその場所の緯度及び経度である。図４Ｂは目的地の名称と情報提供者への通信接続情報を含む場合を示し、情報提供者への通信接続情報は情報提供者のホームページのアドレスである。情報提供者への通信接続情報として、ホームページのアドレス以外に、電子メールのアドレス、ホームページのタイトル、所定の記号が使用されてよい。ホームページのタイトル及び所定の記号は、ホームページの検索に都合がよいように設定される。
【００１８】
再び図３に戻る。ステップＳ１０２にて、携帯端末の二次元コード認識・解読部１２は、二次元コードを認識し、二次元コードに含まれる情報を解読する。
ステップＳ１０３にて、携帯端末の情報検出部１３は、解読した情報が目的地の位置情報を含むか否かを判定する。目的地の位置情報を含む場合には、ステップＳ１０４に進む。
【００１９】
ステップＳ１０４にて、携帯端末の目的地の位置情報検出部１４は目的地の位置情報を抽出する。ステップＳ１０５にて、現在位置検出部２１によって得られた現在位置と目的地の位置情報検出部１４によって得られた目的地の位置情報に基づいて、現在位置から目的地であるレストランまでの経路を検索する。図１の例のように、携帯端末が経路検索部１５を有する場合には、経路検索部１５が経路検索を行う。図２の例のように、携帯端末が経路検索部１５を有さない場合には、外部の経路検索手段を利用して経路検索を行う。
【００２０】
外部の経路検索手段を利用する場合として、インターネット等の通信網を介して経路検索サーバに接続し、経路検索サーバが提供する経路検索サービスを用いてもよい。この場合、現在位置と目的地の位置情報を経路検索サーバに送信する必要がある。外部の経路検索手段を利用する場合として、携帯端末を経路検索機能を有する他の機器に直接接続してもよい。尚、他の機器を利用する場合の例を、後に図５を参照して説明する。
携帯端末の表示部１６には、検索結果として現在位置から目的地のレストランまでの経路が表示される。
【００２１】
ステップＳ１０３の判定にて、解読した情報が目的地の位置情報を含まない場合には、ステップＳ１０６に進む。例えば、目的地がレストランのチェーン店である場合、ユーザは、最寄の店舗を検索する場合が多い。従って、レストラン、即ち、情報提供者が提供する二次元コードには、情報提供者のホームページアドレスが含まれるが、目的地の位置情報は含まれない。従って、この場合には、ホームページには、各店舗の位置情報又は地図が掲載される。ユーザは、ホームページに掲載された店舗に関する情報より、最寄の店舗の情報を入手する。
【００２２】
ステップＳ１０６にて、携帯端末の情報検出部１３は、解読した情報が情報提供者への通信接続情報を含むか否かを判定する。情報提供者への通信接続情報を含む場合には、ステップＳ１０７に進み、解読した情報が情報提供者への通信接続情報を含まない場合には、処理を終了し、最初のステップＳ１０１に戻る。
【００２３】
ステップＳ１０７にて、携帯端末の情報検出部１３は、情報提供者への通信接続情報を抽出する。ステップＳ１０８にて、携帯端末は、情報検出部１３によって得られた情報提供者への通信接続情報に基づいて、情報提供者に接続する。情報提供者への接続には、携帯端末の通信機能を利用する。ここでは、情報提供者のホームページに接続された場合を説明する。
【００２４】
ステップＳ１０９にて、情報検出部１３は、情報提供者が開設するホームページに、目的地であるレストランの位置情報が含まれるか否かを判定する。情報提供者が開設するホームページに、目的地であるレストランの位置情報が含まれる場合には、ステップＳ１０４に進み、上述の動作を行う。
【００２５】
情報提供者が開設するホームページに、目的地であるレストランの位置情報が含まれない場合には、ステップＳ１１０に進み、情報提供者が開設するホームページより、目的地への経路を入手する。ここで、目的地までの経路を入手するために、現在位置を送信する必要がある場合には、現在位置を送信する。現在位置から目的地までの経路の代わりに、目的地を含む地図情報を入手することができる場合には、地図情報を入手する。
【００２６】
上述の例では、情報提供者は、レストランであるが、ホテル、ショッピングセンター、デパート、駅、スポーツセンタ、競技場、美術館、官公庁、図書館、公共施設、学校、事務所、工場等であってもよい。
【００２７】
図５及び図６を参照して、携帯端末が経路検索部１５を有さない場合に、他の機器を利用して経路検索を行う方法を説明する。他の機器は、少なくとも、二次元コード読み取り及び解読機能と経路検索機能を有する。他の機器は、図１に示すような二次元コード読み取り機能と経路検索機能を有する携帯端末であってよい。
【００２８】
ステップＳ２０１にて、携帯端末の二次元コード生成部２２は、目的地の位置情報を入手する。これは、上述のように、二次元コードを解読して得られた情報に目的地の位置情報が含まれている場合には、それを利用する。二次元コードを解読して得られた情報に目的地の位置情報が含まれていない場合に、情報提供者のホームページより得られた目的地の位置情報を利用する。
図６Ａに示すように、目的地の位置情報は、目的地の緯度及び経度を含む。
【００２９】
ステップＳ２０２にて、携帯端末の二次元コード生成部２２は、現在位置検出部２１より得られた現在位置を入手する。図６Ｂに示すように、現在位置の位置情報は、現在位置の緯度及び経度を含む。
【００３０】
ステップＳ２０３にて、携帯端末の二次元コード生成部２２は、図６Ｃに示すように、目的地の位置情報と現在位置を表す二次元コードを生成する。ステップＳ２０４にて、携帯端末の表示部１６は、生成した二次元コードを表示する。
【００３１】
ステップＳ２０５にて、他の機器の二次元コード読み取り機能によって、携帯端末の表示部１６に表示された二次元コードを読み取る。ステップＳ２０６にて、他の機器は、読み取った二次元コードより、現在位置と目的地の位置情報を解読する。ステップＳ２０７にて、他の機器の経路検索機能は、現在位置と目的地の位置情報に基づいて、現在位置から目的位置までの経路を検索する。ステップＳ２０８にて、他の機器の表示部には、現在位置から目的位置までの経路が表示される。ユーザは、他の機器の表示部に表示された経路を読み取る。
【００３２】
以上、本発明の例を説明したが、本発明は上述の例に限定されるものではなく、特許請求の範囲に記載された発明の範囲にて様々な変形が可能であることは当業者に理解されよう。
【００３３】
【発明の効果】
本発明によると、ユーザは、簡単な操作によって、現在位置から目的地までの経路を入手することができる効果がある。
本発明によると、ユーザは、現在位置及び目的の位置情報をキー操作等により入力することなく現在位置から目的地までの経路を入手することができる効果がある。
【図面の簡単な説明】
【図１】本発明による携帯端末の構成例を示す図である。
【図２】本発明による携帯端末の他の構成例を示す図である。
【図３】本発明による携帯端末の動作を説明するための説明図である。
【図４】目的地の位置情報と通信接続情報の例を示す図である。
【図５】本発明による携帯端末と外部機器を使用して経路検索を行う動作を説明するための説明図である。
【図６】自次元コード生成部により生成する二次元コードの情報の例を示す図である。
【符号の説明】
１１…二次元コード読み取り部、  １２…二次元コード認識・解読部、  １３…情報検出部、  １４…目的地の位置情報検出部、  １５…経路検索部、  １６…表示部、  ２１…現在位置検出部、  ２２…二次元コード生成部
【図１】
2004233147.tif 000003
【図２】
2004233147.tif 000004
【図３】
2004233147.tif 000005
【図４】
2004233147.tif 000006
【図５】
2004233147.tif 000007
【図６】
2004233147.tif 000008